(57)【要約】【課題】設置場所のガス濃度状態を容易に監視することが可能な通信装置を提供する。【解決手段】通信装置は、所定の設置場所に設置されかつ内部通信網を形成する。通信装置は、所定の設置場所のガス濃度状態を検出するセンサ部と、センサ部による検出結果を内部通信網の外部に送信する通信部と、を有する。【選択図】図１
2020141277.tif 000002
【特許請求の範囲】
【請求項１】
所定の設置場所に設置されかつ内部通信網を形成する通信装置であって、
前記所定の設置場所のガス濃度状態を検出するセンサ部と、
前記センサ部による検出結果を前記内部通信網の外部に送信する通信部と、
を有することを特徴とする通信装置。
【請求項２】
前記通信部は、主装置を介して外部通信網に接続され、前記センサ部による検出結果を前記主装置を介して前記外部通信網に送信することを特徴とする請求項１に記載の通信装置。
【請求項３】
前記主装置は、前記外部通信網を介して前記所定の設置場所の外部に位置する監視センタ装置に接続され、前記外部通信網を介して前記センサ部による検出結果を前記監視センタ装置に送信することを特徴とする請求項２に記載の通信装置。
【請求項４】
前記所定の設置場所は室内であり、
前記センサ部は、前記所定の設置場所における前記室内のガス濃度を検出することを特徴とする請求項１乃至３のいずれか１に記載の通信装置。
【請求項５】
前記センサ部はガスセンサを含み、前記ガスセンサによる検出結果に基づいて前記室内のガス濃度を検出することを特徴とする請求項４に記載の通信装置。
【請求項６】
前記ガスセンサは、二酸化炭素濃度センサであることを特徴とする請求項１乃至５のいずれか１に記載の通信装置。
【請求項７】
前記ガスセンサは、一酸化炭素濃度センサ又は有害物質ガスセンサであることを特徴とする請求項１乃至５のいずれか１に記載の通信装置。
【請求項８】
所定の設置場所に設置されかつ内部通信網を形成する通信装置と、
外部通信網に接続されかつ前記通信装置を収容する主装置と、
前記外部通信網に接続されかつ前記主装置を介してデータの送受信を行う監視センタ装置と、を含み、
前記通信装置は、前記所定の設置場所のガス濃度状態を検出するセンサ部と、前記主装置に接続されかつ前記センサ部による検出結果を前記主装置を介して前記監視センタ装置に送信する通信部と、を有することを特徴とする監視システム。
【請求項９】
前記ガスセンサは、二酸化炭素濃度センサであることを特徴とする請求項８に記載の監視システム。
【請求項１０】
前記ガスセンサは、一酸化炭素濃度センサ又は有害物質ガスセンサであることを特徴とする請求項８に記載の監視システム。
【発明の詳細な説明】
【技術分野】
【０００１】
本発明は、構内交換機に収容される多機能電話等の通信装置及び監視システムに関する。
【背景技術】
【０００２】
一般に、従来の多機能電話システムにおいては、構内交換機と共に各々の多機能電話機が記憶させたサービス（リダイヤル機能等）を実行する。多機能電話機は構内交換機に収容され内線電話システムを実現するための通信端末である（例えば、特許文献１）。
【先行技術文献】
【特許文献】
【０００３】
【特許文献１】特開平０１−１０１７６７号公報
【発明の概要】
【発明が解決しようとする課題】
【０００４】
建物の室内に多機能電話機を設置していて、なおかつ室内の二酸化炭素等のガス濃度を監視する必要がある場合には、多機能電話機とは別に二酸化炭素濃度を監視するガスセンサ装置を用意する必要がある。そのため、ガスセンサ装置を用意するコストやガスセンサ装置を使用して計測する人件費、設置場所の調査が必要等の問題点がある。換言すると、室内のガス濃度を容易に監視することができないという問題があった。
【０００５】
本発明は上記問題点に鑑みてなされたものであり、設置場所のガス濃度状態を容易に監視することが可能な通信装置及び監視システムを提供することを目的とする。
【課題を解決するための手段】
【０００６】
本発明に係る通信装置は、所定の設置場所に設置されかつ内部通信網を形成する通信装置であって、
前記所定の設置場所のガス濃度状態を検出するセンサ部と、
前記センサ部による検出結果を前記内部通信網の外部に送信する通信部と、
を有することを特徴とする。
【０００７】
本発明に係る監視システムは、所定の設置場所に設置されかつ内部通信網を形成する通信装置と、
外部通信網に接続されかつ前記通信装置を収容する主装置と、
前記外部通信網に接続されかつ前記主装置を介してデータの送受信を行う監視センタ装置と、を含み、
前記通信装置は、前記所定の設置場所のガス濃度状態を検出するセンサ部と、前記主装置に接続されかつ前記センサ部による検出結果を前記主装置を介して前記監視センタ装置に送信する通信部と、を有することを特徴とする。
【発明の効果】
【０００８】
本発明に係る通信装置及び監視システムによれば、通信装置の設置場所のガス濃度状態を容易に監視することが可能となる。
【図面の簡単な説明】
【０００９】
【図１】実施例１の監視システムの構成を示す図である。
【図２】実施例１の監視システムにおける多機能電話機の構成を示すブロック図である。
【図３】実施例１の監視システムの動作の一例を示すシーケンス図である。
【図４】実施例１の監視システムの動作の他の一例を示すシーケンス図である。
【図５】実施例１の監視システムの動作の更なる他の一例を示すシーケンス図である。
【図６】実施例１の監視システムの動作の更なる他の一例を示すシーケンス図である。
【図７】実施例２の監視システムの構成を示す図である。
【図８】実施例３の監視システムの構成を示す図である。
【発明を実施するための形態】
【００１０】
以下、本発明の実施例について、図面を参照して説明する。なお、以下の各実施例における説明及び添付図面においては、実質的に同一又は等価な部分には同一の参照符号を付し、重複した説明は省略する。
【実施例１】
【００１１】
図１は、本実施例の室内環境監視システム１００の構成を示す図である。室内環境監視システム１００において、多機能電話機１０は、主装置２０及び回線終端装置４０を介して監視センタ装置３０に対して通信可能に接続されている。
【００１２】
多機能電話機１０は、主装置２０に通信線ＣＬを介して接続され、主装置２０の下で複数の外線と内線を共有して制御できる電話機としての機能を有する。例えば、多機能電話機１０は、例えばビルディング等の建物ＢＬのフロアの居室等の室内ＲＭの所定の設置場所、例えば机やテーブルの上、壁やパーティションの壁面に設置される。
【００１３】
また、多機能電話機１０は、電話サービスを提供する通話端末として機能し、同種の１又は複数の多機能電話機と共に内部通信網を形成できると共にデータ通信端末として機能する。なお、図１において、多機能電話機１０は複数が設けられるが、代表として各室内ＲＭに２つのみ示してある。さらに、複数の多機能電話機１０は、同じ建物内の複数フロアにまたがる態様でも使用できる。
【００１４】
（機能電話機）
図２は、多機能電話機１０の構成を示すブロック図である。多機能電話機１０は、制御部１１、センサ部１２、メモリ部１３、回線部１５、ハンドセット部１４、操作部１６、表示部１７、ＬＥＤ部１８及び報知部１９で構成されている。
【００１５】
制御部１１は、それぞれ所定の伝送線を介してセンサ部１２、メモリ部１３、ハンドセット部１４、回線部１５、操作部１６、表示部１７、ＬＥＤ部１８、報知部１９に接続され、それらの制御を行う。制御部１１は、チップセットとＣＰＵ（Central Processing Unit）から構成され、制御データ信号を多機能電話機１０の各部に送り、また、各部から送られる各種情報データを処理する。
【００１６】
センサ部１２は、多機能電話機１０が設置されている設置場所付近のガス濃度状態を検出するために設けられている。本実施例では、センサ部１２は、例えばガスセンサとして二酸化炭素濃度センサを含み、検出した二酸化炭素のガス濃度に応じたガス濃度電気信号を制御部１１へ出力する。制御部１１は当該濃度電気信号に応じたガス濃度を示すデータ（以下、単に検出データと称する）を生成し、処理する。例えば、ＩＰ（Internet Protocol）標準規格で通信する場合、制御部１１は、検出データ形式をＩＰパケットに変換する処理をすることができる。また、制御部１１は検出データを要求する制御データ信号（以下、単に要求信号と称する）をセンサ部１２に送出する。そしてセンサ部１２は、制御部１１からの要求信号に応じて、濃度電気信号を制御部１１に送出する。
【００１７】
メモリ部１３は、制御部１１の動作プログラム等を格納するＲＯＭ（Read Only Memory）や、制御部１１が処理する検出データ等の各種情報データを記憶するフラッシュメモリ等により構成されている。
【００１８】
ハンドセット部１４は、電話機本体に接続されユーザが把持して使用するものであり、ユーザの音声を電気信号に変換するマイクと、通話の相手の声を再生するスピーカと、を含んでいる。ハンドセット部１４は、音声電気信号を制御部１１へ出力し、制御部１１は音声電気信号に応じた音声データを生成して、これを回線部１５に送出する。
【００１９】
回線部１５は、主装置２０に通信線ＣＬを介して接続され、主装置２０及び回線終端装置４０と外部の電話回線網を介して遠方の監視センタ装置３０との間で音声データや情報データ、制御データ信号等の送受信、すなわち中継を行う機能を有する。
【００２０】
操作部１６は、ユーザによる操作を受け付けるテンキー等の複数の操作キー（図示せず）を含んでいる。操作部１６は、受け付けた操作内容を示す操作信号を制御部１１へ出力する。すなわち、操作部１６からの操作信号に応じて、制御部１１は多機能電話機１０の動作を制御する。例えば、操作部１６を操作するユーザは、制御部１１に対して、要求信号をセンサ部１２に送信させ、検出データをメモリ部１３に格納させたり、メモリ部１３の検出データを表示部１７に表示させたり、検出データを示すデータ信号を主装置２０及び回線終端装置４０を介して監視センタ装置３０に送信させることができる。
【００２１】
表示部１７は、例えば液晶表示画面（LCD: liquid crystal display）からなり、制御部１１からの検出データ等の種々の情報データを表示できる。表示部１７は、タッチパネルであってもよい。
【００２２】
ＬＥＤ部１８は、複数のＬＥＤを含んでいる。幾つかのＬＥＤは、例えば、操作部１６が有する特定の操作キーの背面側に設けられている。また、他の幾つかのＬＥＤは、例えば、着信ランプとして機能する。各ＬＥＤの点灯及び点滅等の制御は、制御部１１が実行する。すなわち、制御部１１は、ユーザによる操作及び多機能電話機１０の発着信動作等に応じて、対応するＬＥＤを点灯又は点滅させる。
【００２３】
報知部１９は、例えばスピーカを含んで構成され、制御部１１からの種々の情報、例えば着信音等を室内へ報知する。
【００２４】
なお、図２における実線矢印は、多機能電話機１０内の各部の間及び多機能電話機１０と主装置２０との間で要求信号等の制御／情報データ信号の送信又は受信が行われることを示している。また、破線矢印は、ハンドセット部１４、制御部１１、回線部１５及び主装置２０の間で音声信号の送受信が行われることを示している。
【００２５】
（主装置）
主装置２０は、電子交換機やデジタル交換機等の構内交換機であり、例えば、回線終端装置を介して電話回線網に接続されている。主装置２０は、通信線ＣＬを介して多機能電話機１０との間で音声データや情報データ、制御データ信号等の送受信を行う機能を有する。また、主装置２０は、多機能電話機１０に対して検出データの送信を要求する要求信号を定期的に送信できる機能を有する。
【００２６】
（回線終端装置）
回線終端装置４０は、主装置２０と外部通信網の電話回線網を接続する接続装置である。回線終端装置４０は、一般的に、通信回線網の終端部分に位置すると共に、通信回線と内部通信網との接続点となる箇所に設置され、モデムやターミナルアダプタ（ＴＡ）、光回線終端装置（ＯＮＵ）等が含まれる。
【００２７】
（監視センタ装置）
監視センタ装置３０は、電話回線網に接続され、電話回線網を介して主装置２０との間でデータの送受信を行う機能を有する。例えば、監視センタ装置３０は、多機能電話機１０のセンサ部１２と制御部１１による検出データを示すデータ信号を、主装置２０を介して受信する。監視センタ装置３０は、受信したデータ信号に基づいて、建物ＢＬの室内ＲＭのガス濃度についてのデータの収集、蓄積及び解析を行う。また、監視センタ装置３０は、主装置２０に対して検出データの送信を要求する要求信号を定期的に送信できる機能を有する。
【００２８】
（室内環境監視システムの動作）
多機能電詰機１０に検出データを監視センタ装置３０へ送信させる契機としては、次の４パターンある。パターン１は主装置２０の設定にて多機能電詰機１０に定期的に送信させる方法、パターン２は監視センタ装置３０の設定にて遠隔操作にて多機能電詰機１０に定期的に送信させる方法、パターン３はユーザが多機能電話機１０を操作することで送信させる方法、パターン４は制御部１１の設定にて多機能電詰機１０自ら定期的に送信する方法である。
【００２９】
（パターン１）
まず、図３のシーケンス図を参照してパターン１の、主装置２０が多機能電話機１０に対して検出データの送信を要求する要求信号を定期的に送信するように設定されている場合について説明する。なお、センサ部１２は、例えば制御部１１から情報送信要求があった場合にのみ室内のガス濃度を検出し、検出結果である検出データを制御部１１に送信するものであってもよい。また、制御部１１からの情報送信要求の有無にかかわらず定期的に室内のガス濃度を検出して検出データを保持しておき、保持していた検出データを制御部１１からの情報送信要求に応じて制御部１１に供給するものであってもよい。
【００３０】
図３に示すように、主装置２０は、要求信号を、通信線ＣＬを介して多機能電話機１０に送信する（Ｓ１０１）。
【００３１】
多機能電話機１０の回線部１５は、主装置２０から要求信号を受信すると、要求信号を制御部１１に伝送する（Ｓ１０２）。
【００３２】
制御部１１は、主装置２０から回線部１５を介して受信した要求信号に応じて、要求信号をセンサ部１２に送出する（Ｓ１０３）。
【００３３】
センサ部１２は、制御部１１からの要求信号に応じて、検出したガス濃度電気信号を制御部１１に供給する（Ｓ１０４）。
【００３４】
制御部１１はセンサ部１２からの当該信号を変換して検出データを示すデータ信をメモリ部１３に送出する（Ｓ１０５）。
【００３５】
メモリ部１３は制御部１１から受信した検出データを格納すると共に、制御部１１からの要求信号に応じて、格納している検出データを制御部１１に送出する（Ｓ１０６）。
【００３６】
制御部１１は、センサ部１２から供給された検出データを示すデータ信号を回線部１５に伝送する（Ｓ１０７）。
【００３７】
回線部１５は、制御部１１から伝送された該データ信号を、主装置２０に送信する（Ｓ１０８）。
【００３８】
主装置２０は、多機能電話機１０の回線部１５から受信した検出データを示すデータ信号を、電話回線網を介して監視センタ装置３０に送信する（Ｓ１０９）。
【００３９】
監視センタ装置３０は、検出データを示すデータ信号を受信し、データの収集、蓄積及び解析を行う（Ｓ１１０）。監視センタ装置３０は、例えば多機能電話機１０のセンサ部１２による検出結果を示すデータ信号の経時的な変化に基づいて、多機能電話機１０が設置されている室内のガス濃度を監視する。
【００４０】
以上のような処理ステップにより、設置場所のガス濃度状態として、多機能電話機１０が設置されている室内のガス濃度が監視センタ装置３０により監視される。
【００４１】
（パターン２）
次に、図４のシーケンス図を参照してパターン２の、監視センタ装置３０が遠隔操作にて主装置２０を介し多機能電話機１０に対して検出データの送信を要求する要求信号を定期的に送信するように設定されている場合について説明する。
【００４２】
図４のシーケンスは、監視センタ装置３０が電話回線網を介して要求信号を主装置２０に送信するステップ（Ｓ１００）を図３のシーケンスに加え、監視センタ装置３０の要求信号に応じて主装置２０が当該要求信号を多機能電話機１０に送信する（Ｓ１０１）以外、上記のパターン１と同一であるので、詳細を省略する。
【００４３】
（パターン３）
次に、図５のシーケンス図を参照してパターン３の、ユーザが多機能電話機１０を操作することにより検出データを監視センタ装置３０に送信する場合について説明する。
【００４４】
図５のシーケンスについて、図３のシーケンスの主装置２０に起因するＳ１０１及びＳ１０２のステップを行わず、当該ステップの代わりに、操作部１６へのユーザによる操作を介して要求信号を制御部１１に送信させるステップ（Ｓ１０２Ａ）とユーザによる操作を介して検出データを表示部１７に表示させるステップ（Ｓ１０２Ｂ）とを図３のシーケンスに加え、制御部１１が要求信号をセンサ部１２に送出する（Ｓ１０３）ことと検出データを表示部１７に表示させる（Ｓ１１１）こと以外、上記のパターン１と同一であるので、その違いのみを説明する。
【００４５】
図５に示すように、ユーザが多機能電話機１０の操作部１６の所定操作キーを押下すると、操作部１６から制御部１１に要求信号を送出し（Ｓ１０２Ａ）、制御部１１が該要求信号を受信し、制御部１１が要求信号をセンサ部１２に送出する（Ｓ１０３）。
【００４６】
その後、ステップＳ１０６にて格納している検出データを制御部１１が受信した後に、表示部１７に検出データを表示させる（Ｓ１１１）。この場合、制御部１１はメモリ部１３の格納された検出データを回線部１５と共に表示部１７に伝達し、表示部１７は制御部１１からの検出データを多機能電話機１０に表示させることで、ユーザに検出データ（ガス濃度）を伝える。
【００４７】
（パターン４）
最後に、図６のシーケンス図を参照してパターン４の、多機能電話機１０の制御部１１自体がセンサ部１２に対して検出データの送信を要求する要求信号を定期的に送信するように例えばプログラムで設定されている場合について説明する。
【００４８】
図６のシーケンスにおいて、図３のシーケンスの主装置２０に起因するステップＳ１０１及びＳ１０２を行わず、制御部１１は、要求信号をセンサ部１２に送出（Ｓ１０３）する以外、上記のパターン１と同一であるので、その詳細を省略する。
【００４９】
（効果の説明）
以上のように、実施例のパターン１〜４のいずれによっても、多機能電話機１０を用いて室内の二酸化炭素濃度を検出し、検出データを監視センタ装置３０によりへ伝達できるため、１以上の多機能電話機１０により二酸化炭素濃度監視システムを実現できる。二酸化炭素濃度監視システムを実現することにより、室内の二酸化炭素濃度を点検する頻度の低下を防止することができ、また、室内の別のセンサデバイスを設置する必要がなくなる効果が得られる。
【実施例２】
【００５０】
実施例２は、上記実施例１の電話回線網に接続されている主装置２０（電子交換機やデジタル交換機）に代えて、図７に示すように、主装置２０ＡとしてＩＰ網ＮＷに接続されている構内交換機すなわちＩＰ−ＰＢＸ（Internet Protocol Private Branch eXchange）を用いた以外、実施例１と同一である。この場合、主装置２０Ａは、電話回線網ではなくＩＰ網経由で監視センタ装置３０に接続（ＩＰ接続）され、ＩＰ網経由でデータ信号を監視センタ装置３０に送信する。かかる構成によれば、上位ネットワークに接続して多機能電話機１０を監視する効果も得られる。
【実施例３】
【００５１】
実施例３は、実施例１の主装置２０に代えて、図８に示すように、ＩＰ網ＮＷに接続されている複合型の構内交換機すなわちＩＰ−ＰＢＸ機能と電話回線接続機能を有する主装置２０Ｂを用いた以外、実施例１と同一である。実施例３によれば、実施例１と実施例２の効果を得ることができる。
【００５２】
また、上記実施例のいずれでも、センサ部１２が二酸化炭素濃度センサを含み、多機能電話機１０が設置されている設置場所の二酸化炭素濃度を検出する場合について説明したが、ガスセンサの種類は二酸化炭素濃度センサに限られず、変形例としてセンサ部１２に一酸化炭素や有害物質用のガスセンサを用いることで他のガス情報も監視することが可能である。
【００５３】
また、上記実施例及び変形例では、多機能電話機１０が検出データを示すデータ信号を監視センタ装置３０に送信し、収集、蓄積及び解析を行う場合を例として説明した。しかし、監視センタ装置３０側が解析に基づき多機能電話機１０のある室内の危険なガス濃度をリアルタイムで覚知し、必要に応じて警報等を当該多機能電話機１０に通知する構成とすれば、警報等を知覚したユーザは、避難行動等をとることが可能となる。
【００５４】
また、上記実施例及び変形例では、室内の態様としてビルディングを例示したが、これに限定されず木造家屋や、例えば、室内として地下、地中に設置された縦穴、トンネル等の空間であってもよいし、土地（地上や地中）に定着する工作物のうち屋根及び柱もしくは壁を有する開かれた空間であってもよい。また、室内は洞窟（崖や岩にできた穴）のようなものや、人が住んだり物を収めたりできる空間であってもよい。
【符号の説明】
【００５５】
１０  多機能電話機
１１  制御部
１２  センサ部
１３  メモリ部
１５  回線部
２０  主装置
３０  監視センタ装置
４０  回線終端装置
１００  室内環境監視システム
【図１】
2020141277.tif 000003
【図２】
2020141277.tif 000004
【図３】
2020141277.tif 000005
【図４】
2020141277.tif 000006
【図５】
2020141277.tif 000007
【図６】
2020141277.tif 000008
【図７】
2020141277.tif 000009
【図８】
2020141277.tif 000010